【事件の表示】
　平成８年特許願第２６８９４３号「記録装置」拒絶査定不服審判事件〔平成１０年５月６日出願公開、特開平１０−１１６４６９〕について、次のとおり審決する。
【結　論】
　本件審判の請求は、成り立たない。
【理　由】
第１　手続の経緯
　
　本願は、平成８年１０月９日の出願であって、平成１６年１月１３日付け拒絶理由通知に対して、同年３月１９日付けで意見書及び手続補正書が提出されたが、同年４月２７日付けで拒絶すべき旨の査定がされ、これに対し、同年６月１０日に拒絶査定不服の審判が請求されるとともに、同年７月７日付けで手続補正書が提出されたものである。
　
　
第２　平成１６年７月７日付けの手続補正についての補正却下の決定
　
〔補正却下の決定の結論〕
　平成１６年７月７日付けの手続補正（以下、「本件補正」という。）を却下する。
　
〔理　由〕
１．本件補正前及び本件補正後の本願発明
　本件補正は、特許請求の範囲及び発明の詳細な説明についてするもので、特許請求の範囲については、本件補正前に、
「【請求項１】　複数の記録媒体が収納される収納手段と、
　入力される情報信号を上記記録媒体に記録する記録手段と、
　上記収納手段に収納された記録媒体の１つを上記収納手段と上記記録手段とに亘って搬送する搬送手段と、
　上記収納手段に収納された複数の記録媒体を上記搬送手段により順次交換し、上記記録手段により上記入力される情報信号を上記複数の記録媒体に連続して記録させ、上記収納手段に収納される全ての記録媒体への上記入力される情報信号の記録が終了したとき上記記録手段による記録動作を終了させる制御手段と
　を有してなることを特徴とする記録装置。
【請求項２】　上記記録媒体は、カートリッジ本体内に書換可能な光ディスクを収納して
なるディスクカートリッジであることを特徴とする請求項１記載の記録装置。
【請求項３】　上記制御手段は、上記記録媒体から読み出された記録内容関連情報に応じて、記録済の情報信号がある場合には記録媒体の空き領域に上記入力情報信号を記録することを特徴とする請求項１記載の記録装置。
【請求項４】　時刻情報を発生する時計部を有し、
　上記制御手段は、上記時刻情報に基づいて上記記録手段にタイマ記録を実行させることを特徴とする請求項１記載の記録装置。
【請求項５】　上記制御手段は、上記タイマ記録の実行中にタイマオフ時刻になったとき、上記記録手段による記録動作を終了させると共に該記録手段から上記記録媒体を上記収納手段へ戻すようなアンローディングを行わせることを特徴とする請求項４記載の記録装置。」
とあったものを、
「【請求項１】　複数の記録媒体が収納される収納手段と、
　入力される情報信号を上記記録媒体に記録する記録手段と、
　上記収納手段に収納された記録媒体の１つを上記収納手段と上記記録手段とに亘って搬送する搬送手段と、
　時刻情報を発生する時計部と、
　上記時刻情報に基づいて、上記収納手段に収納された複数の記録媒体を上記搬送手段により順次交換し、上記記録手段により上記入力される情報信号を上記複数の記録媒体に連続して記録させるタイマ記録を実行させ、上記収納手段に収納される全ての記録媒体への上記入力される情報信号の記録が終了したときは、上記記録手段による記録動作を終了させ、上記タイマ記録の実行中にタイマオフ時刻になったときは、上記記録手段による記録動作を終了させると共に該記録手段から上記記録媒体を上記収納手段へ戻すようなアンローディングを行わせる制御手段と
　を有してなることを特徴とする記録装置。
　【請求項２】　上記記録媒体は、カートリッジ本体内に書換可能な光ディスクを収納し
てなるディスクカートリッジであることを特徴とする請求項１記載の記録装置。
　【請求項３】　上記制御手段は、上記記録媒体から読み出された記録内容関連情報に応じて、記録済の情報信号がある場合には記録媒体の空き領域に上記入力される情報信号を記録することを特徴とする請求項１記載の記録装置。」
と補正しようとするものである。
　すると、特許請求の範囲についての補正事項は、概略、本件補正前の請求項１に請求項４及び５に記載された事項を併せ、「タイマ記録」の動作を限定するものであって、特許法第１７条の２第４項第２号に掲げる事項を目的とするものである。
　そこで、本件補正後における特許請求の範囲に記載されている事項により特定される発明が特許出願の際独立して特許を受けることができるものであるか（特許法第１７条の２第５項において準用する同法第１２６条第４項に規定する要件を満たすか）否かを、請求項１に係る発明（以下、「本願補正発明」という。）について以下に検討する。
　
２．引用例
（１）　第１引用例
　原査定の拒絶の理由に引用された、本願出願前に頒布された刊行物である特開平７−２９６５１３号公報（以下、「第１引用例」という）には、図面とともに以下の技術事項が記載されている。
（ａ）
「【０００１】
【産業上の利用分野】本発明は、特に、ＡＴＲＡＣ方式と呼ばれる音声データ圧縮技術を用いたミニディスク（以下、単に『ＭＤ』と記す）や画像、映像及びコンピュータデータといったマルチメディアのデジタルデータを連続的に記録再生が可能なＭＤデータディスクに採用して好適なディスク交換型記録再生装置及びディスク交換型再生装置に関するものである。この種の技術は、単にＭＤだけでなく、公知のディスク一般に使用可能である。」
　
（ｂ）
「【００２５】そこで、本発明は、音声のみならず、画像、映像及びコンピュータデータといったマルチメディアの情報データを記録再生または再生でき、大容量の情報に対しても連続的に光磁気ディスクを交換し、連続記録再生または連続再生ができることを第１の課題とし、更に、記録再生または再生に関し使用者の目的に合わせた光磁気ディスクの管理を行なうことが可能なことを第２の課題とするものである。」
　
（ｃ）
「【００５１】図１において、１０６は複数のディスクを格納するディスク格納手段である。１０３はディスク格納手段１０６によって格納されている複数のディスクのうちから対応するディスクを取り出して記録再生用のディスクとして交換するディスク交換手段である。このディスク交換手段１０３は自己の判断に基づいてディスク交換を行なうディスク自動交換手段１０４と、使用者がマニュアルでディスク交換を行なうディスク手動交換手段１０５からなる。１０２はディスク交換手段１０３によって取り出されたディスクに、音声、画像、映像及びコンピュータからなるメディア機器１０１のマルチメディアデータを圧縮し、それを記録または再生する記録再生手段である。１０７はディスク格納手段１０６による複数のディスクを管理するために、例えば、パソコン機能のように、使用者の管理態様に基づいて個々のディスクを任意に設定するためのディスク管理手段である。
【００５２】先ず、メディア機器１０１により音声、画像、映像及びコンピュータのうちの１以上といったマルチメディアデータ（以下、単に『メディアデータ』と記す）が記録再生手段１０２に入力される。記録再生手段１０２は入力されるメディアデータをデータ圧縮し、そして、そのメディアデータを管理するための管理情報データを付与した後、ディスク交換を行なうディスク自動交換手段１０４によりメディアデータのデータ量に応じて複数のディスクに順次記録または再生を実行し、ディスク格納手段１０６により逐次複数のディスクを格納する。
【００５３】ディスク管理手段１０７は、メディアデータをディスクに記録再生する際、使用者の目的に応じて任意に管理、検索できるように管理情報データを任意に設定することができ、設定された管理情報データは記録再生手段１０２に送られ管理情報データが新規に書込まれたり、または更新されたりする。そして、書込まれたり、または更新されたりした管理情報データに基づいてディスク手動交換手段１０５により適切なディスクが選択され、記録再生手段１０２に設定され記録または再生が実行される。したがって、使用者の目的に応じたディスク管理が可能となり、より効率的に複数のメディア機回路によるメディアデータを一度に記録再生が可能となる。
【００５４】なお、本実施例のディスク格納手段１０６は、ＭＤを少なくとも２枚以上格納可能な格納箱である。また、ディスク交換手段１０３は、音声、画像、映像及びコンピュータといったマルチメディアデータを記録再生する制御を行なうシステムコントローラ２０５と直結しており、このシステムコントローラ２０５の指令に従って必要なディスクをディスク格納手段１０６から取り出して記録再生手段１０２に装着したり、または記録再生手段１０２からディスクを取り出してディスク格納手段１０６に格納するディスク交換を行なう。」
　
（ｄ）
「【００５８】例えば、現在記録中のディスクＡの空き容量が少なくなったり、記憶内容の変更により、次のディスクＢに交換する状況が生じたときについて説明する。
（中略）
【００６０】そこで、現在記録中のディスクＡの書込み容量の不足をシステムコントローラ２０５が検出したとき、または、メディアデータからデータ内容の変更の情報を検出したとき、ディスク管理手段１０７がディスクＡからディスク変更を指示したとき、メディアデータは連続的に入力され、データ圧縮処理は継続されているから、システムコントローラ２０５はメモリコントローラ２０４に対してデータメモリ２０３の空き領域に蓄積しているディスクＡに対して書込み中の圧縮データに対して書込みを終了し、他のディスクＢに変更することを示すデータメモリ２０３に格納されたディスクＡの末尾にディスク終了フラグＦAEを付与する。また、次のディスクＢの書込みを開始するディスク開始フラグＦBSも続いて付与する。システムコントローラ２０５はサーボ制御回路２０９に対し、ディスクＡの書込み順序にディスク終了フラグＦAEが到来すると、データメモリ２０３の管理情報領域Ｃのエリアを読出し、それを書込み、ディスクＡの停止を命じる。同じく、ディスクＡの書込み順序にディスク終了フラグＦAEが到来すると、ディスク交換手段１０３はシステムコントローラ２０５の指令に従い、現在記録再生手段１０２に装着されているディスクＡを取り外し、ディスク格納手段１０６の適所に格納し、続いて、システムコントローラ２０５の指令に含まれるディスク管理情報Ｃに基づいて、次のディスクＢを選択し、記録再生手段１０２に装着する。
【００６１】ディスク格納手段１０６から取り出されたディスクＢがディスク交換手段１０３によって記録再生手段１０２に装着されると、システムコントローラ２０５は先ず始めにディスクＢに格納されている管理情報領域Ｃを検索して、このディスクＢに関する情報を認知する。この管理情報領域Ｃは少なくとも４ｋバイト程度の容量であるので、ディスクＢの管理情報領域Ｃを読出し、それをデータメモリ２０３の管理情報領域Ｃのエリアに書込む。これによって、システムコントローラ２０５は、必要に応じてメモリコントローラ２０４を介してデータメモリ２０３の管理情報領域Ｃの情報内容を適時認知することができる。
【００６２】即ち、ディスクＡに対するデータ領域に書込みが終了したとき、データメモリ２０３内の管理情報領域ＣをディスクＡの管理に必要な管理領域に書込み、データの書込みが複数のディスクにまたがるときの管理情報データも書込んでおく。
【００６３】このようにして、次のディスクＢへの記録再開準備が完了したとき、システムコントローラ２０５はメモリコントローラ２０４に対して、ディスク交換中にデータメモリ２０３に蓄積した圧縮データの読出し開始を指示する。そして、読出された圧縮データには先のディスクＡに継続するディスクＢであることを目印としてディスク選択番号No．Ｂ及び記録開始のディスク開始フラグＦBSを管理情報データに含ませるように指令し、圧縮データと管理情報とを対応付け、ディスクＢへの記録が開始される。」
　
（ｅ）
「【００６８】そして、２枚目のディスクＢが記録再生手段１０２に装着されると、ディスクＡを装着したときと同じように、先ずディスクＢの内の管理情報領域Ｃを認知しデータメモリ２０３の所定の管理情報領域Ｃに書込む。次に、メモリコントローラ２０４はデータメモリ２０３からの圧縮データの読出しを再開して、ディスクＢの空き領域に記録を再開する。更に、ディスクの容量が不足したとき、または他の指令を受けたときは、前述の手順で順次ディスクを交換しながら記録を継続して行ない、結果的に、ディスク格納手段１０６に格納されているディスクの枚数に依存した時間だけ連続記録できる。」
　
　上記引用例記載事項及び図面を総合勘案すると、第１引用例には、結局、次の発明が記載されている（以下、「引用発明」という）。
　
「ミニディスク（以下、単に『ＭＤ』と記す）やＭＤデータディスクに採用して好適なディスク交換型記録再生装置であって、
　ＭＤを少なくとも２枚以上格納可能な、すなわち複数のディスクを格納するディスク格納手段１０６と、
　ディスク格納手段１０６によって格納されている複数のディスクのうちから対応するディスクを取り出して記録再生用のディスクとして交換するディスク交換手段１０３と、
　ディスク交換手段１０３によって取り出されたディスクに、音声、画像、映像及びコンピュータからなるメディア機器１０１のマルチメディアデータを圧縮し、それを記録または再生する記録再生手段１０２と、を有し、
　音声、画像、映像及びコンピュータといったマルチメディアデータを記録再生する制御を行なうシステムコントローラ２０５であって、ディスク交換手段１０３と直結しており、ディスク交換手段１０３はこのシステムコントローラ２０５の指令に従って必要なディスクをディスク格納手段１０６から取り出して記録再生手段１０２に装着したり、または記録再生手段１０２からディスクを取り出してディスク格納手段１０６に格納するディスク交換を行ない、
　現在記録中のディスクＡの書込み容量の不足をシステムコントローラ２０５が検出したとき、ディスクＡに対して書込み中の圧縮データに対して書込みを終了し、ディスクＡの停止を命じ、ディスク交換手段１０３はシステムコントローラ２０５の指令に従い、現在記録再生手段１０２に装着されているディスクＡを取り外し、ディスク格納手段１０６の適所に格納し、続いて、システムコントローラ２０５の指令に含まれるディスク管理情報Ｃに基づいて、次のディスクＢを選択し、記録再生手段１０２に装着し、次のディスクＢへの記録再開準備が完了したとき、システムコントローラ２０５はメモリコントローラ２０４に対して、ディスク交換中にデータメモリ２０３に蓄積した圧縮データの読出し開始を指示し、ディスクＢへの記録を開始し、更に、ディスクの容量が不足したとき、または他の指令を受けたときは、前述の手順で順次ディスクを交換しながら記録を継続して行ない、結果的に、ディスク格納手段１０６に格納されているディスクの枚数に依存した時間だけ連続記録できるようにした、
　マルチメディアの情報データを記録再生または再生でき、大容量の情報に対しても連続的に光磁気ディスクを交換し、連続記録再生ができるディスク交換型記録再生装置。」
　
（２）　第２引用例
　同じく原査定の拒絶の理由に引用された、本願出願前に頒布された刊行物である特開平８−２２６６５号公報（以下、「第２引用例」という）には、図面とともに以下の技術事項が記載されている。
　
（ｆ）
【０００１】
【産業上の利用分野】本発明は、光磁気ディスク等のディスク状の記録媒体に音声信号を記録・再生するディスク記録再生装置に関するものである。
　
（ｇ）
【０００３】
【発明が解決しようとする課題】ところで、ＣＤプレーヤにおいては、複数枚のディスクを装着可能とし、装着された複数のディスクの選択的に再生する所謂ＣＤチェンジャが注目を集めている。該ＣＤチェンジャにおいては、ディスクの収納枚数が３枚程度のものから、ディスクを１００枚まで収納できるものまで、様々な機器が開発・販売されている。そして、昨今、記録できるディスク機器として、前記したＭＤシステムが注目を集めており、このＭＤシステム利用して、ＣＤチェンジャと同様に複数枚のＭＤ用ディスクを装着して選択的に記録再生するいわばＭＤチェンジャの開発・検討が進められている。
【０００４】そこで本発明では、上記した如きＭＤチェンジャに適用して有益な機能を付加することを目的とするものであり、特にタイマー記録を行う場合に、同一のタイマープログラム（記録曜日及び記録開始・終了時間が同一）の記録内容が毎回同一のディスクに記録されるようにするものである。
　
（ｈ）
【０００９】先ず、図１は本発明のディスク記録再生装置のディスク収納機構部の構成を示している。同図に示すように、該装置は1６枚のＭＤ用ディスクが収納可能な回転式のドーナツ状のＭＤ用ディスクストッカー１９と、該ＭＤ用ディスクストッカー１９の中央部分に配置されたＭＤ用ディスクの記録再生を行うＭＤ記録再生ユニット２９、チューナ部４９を備えている。尚、この実施例ではチューナ部を内蔵しているが、チューナ装置を別筐体で構成してもよい。
【００１０】そして２０はＭＤ用ディスクを挿入するためのＭＤ用ディスク挿入口、２１は前記ＭＤ用ディスク挿入口２０より挿入されたＭＤ用ディスクをＭＤ用ディスクストッカー１９の内部へと引き込む第１引き込みローラー、２２はＭＤ用ディスクストッカー１９に収納されているＭＤ用ディスクを前記ＭＤ記録再生ユニット２９の内部へと引き込む第２引き込みローラー、２３は前記ディスク挿入口２０にＭＤ用ディスクが挿入されたことを検知するＭＤ用ディスク挿入センサ、２４は前記第１引き込みローラー２１を駆動する第１引き込みローラー駆動モータ、２５は前記第２引き込みローラー２２を駆動する第２引き込みローラー駆動モータ、２６は前記ＭＤ用ディスクストッカー１９を回転させるＭＤ用ディスクストッカー回転ローラー、２７は前記ＭＤ用ディスクストッカー回転ローラー２６を駆動するＭＤ用ディスクストッカー回転ローラー駆動モータ、１１はディスク種別穴検出スイッチである。
　
（ｉ）図２を参照して
【００１５】４５は前記したように装置全体の動作を制御するＭＤ制御回路で、メカニズムの記録再生・早送り・早戻しの各モードへの移行とタイマープログラム設定手段１４及び各種操作キー（図示せず）からの入力信号に基づく処理やサブコードデータの処理を行い、前記ディジタル信号処理回路３３、ディジタル信号処理回路４０、サーボ制御回路４４、チューナ部４９等を制御する。該ＭＤ制御回路４５はマイクロコンピュータで構成してもよい。
【００１６】さらに１０はディスク情報等を格納するメモリ、９は前記メモリに格納された情報を表示する表示装置、１２はタイマー時刻の到来を検出するための時計回路であり、前記ＭＤ制御回路４５が後述するタイマープログラムの内容に基づいてタイマー記録を行うために設けられている。１３は前記メモリの内容を保持するためのバックアップ電源（例えばリチウム電池等）、１４はタイマープログラムを設定するためのタイマープログラム設定手段である。尚、このタイマープログラム設定手段１４は、従来のオーディオ機器やビデオ機器等でも使用されているタイマー機能と同様のものが適用できるため、ここではその詳細は割愛する。
　
　また、表１から３を参照すると、周知の如く、設定されたタイマープログラムの様子が一例として示されており、明らかに開始の日、時刻、終了時刻等が設定可能とされているものである。
３．対比
　本願補正発明を、引用発明と比較する。
　引用発明における「ディスク交換型記録再生装置」は、本願補正発明における「記録装置」に相当する。
　引用発明における「ディスク格納手段」は、本願補正発明における「収納手段」に相当する。
　引用発明における「記録再生手段」は、本願補正発明における「記録手段」に相当する。
　引用発明における「ディスク交換手段」は、本願補正発明における「搬送手段」に相当する。
　引用発明における「システムコントローラ」は、明らかに本願補正発明における「制御手段」に対応するものであるが、より詳細に比較すると以下のとおりである。すなわち、引用発明において、システムコントローラは、「ディスクＡの書込み容量の不足をシステムコントローラ２０５が検出したとき、・・・書き込みが終了すると、・・・ディスクＡの停止を命じ、・・・現在記録再生手段１０２に装着されているディスクＡを取り外し、ディスク格納手段１０６の適所に格納し、・・・次のディスクＢを選択し、記録再生手段１０２に装着し、次のディスクＢへの記録再開準備が完了したとき、・・・ディスクＢへの記録を開始し、更に、ディスクの容量が不足したとき、または他の指令を受けたときは、前述の手順で順次ディスクを交換しながら記録を継続して行ない」との一連の動作を制御するものである点は、本願補正発明において制御手段が「上記収納手段に収納された複数の記録媒体を上記搬送手段により順次交換し、上記記録手段により上記入力される情報信号を上記複数の記録媒体に連続して記録させる」との記録を実行させることと共通している。また、上記システムコントローラの動作が「結果的に、ディスク格納手段１０６に格納されているディスクの枚数に依存した時間だけ連続記録できるようにした」ことは、記録媒体に記録する記録装置において記録可能な媒体容量がなくなると記録動作を終了することが普通の動作であることも考慮すると、本願補正発明において「上記収納手段に収納される全ての記録媒体への上記入力される情報信号の記録が終了したときは、上記記録手段による記録動作を終了させ」との動作と共通するものである。
　
　すると、本願補正発明と、引用発明とは、次の点で一致する。
＜一致点＞
　複数の記録媒体が収納される収納手段と、
　入力される情報信号を上記記録媒体に記録する記録手段と、
　上記収納手段に収納された記録媒体の１つを上記収納手段と上記記録手段とに亘って搬送する搬送手段と、
　上記収納手段に収納された複数の記録媒体を上記搬送手段により順次交換し、上記記録手段により上記入力される情報信号を上記複数の記録媒体に連続して記録させる記録を実行させ、上記収納手段に収納される全ての記録媒体への上記入力される情報信号の記録が終了したときは、上記記録手段による記録動作を終了させる制御手段と
　を有してなる記録装置。
　
　一方で、以下の各相違点で相違する。
（相違点１）
　本願補正発明は、「時刻情報を発生する時計部」を有するのに対し、引用発明には、時計部について開示がない点。
（相違点２）
　本願補正発明は、制御手段による記録動作及び同動作の終了等が「上記時刻情報に基づいて・・・タイマ記録」を実行させるものであるに対し、引用発明には、時刻情報に基づいてタイマ記録を実行することについて開示がない点。
（相違点３）
　本願補正発明の制御手段は、上記タイマ記録に関し、「上記タイマ記録の実行中にタイマオフ時刻になったときは、上記記録手段による記録動作を終了させると共に該記録手段から上記記録媒体を上記収納手段へ戻すようなアンローディングを行わせる」ものであるのに対し、引用発明には、このような事項に関して開示がない点。
　
４．判断
（１）相違点１及び２について
　第２引用例には、ディスク記録再生装置に時計回路１２を備え、磁気ディスク制御回路４５は、上記時計回路によりタイマー時刻の到来を検出してタイマー記録を行うことが開示されている。
　上記ディスク記録再生装置は、１６枚のＭＤ用ディスクが収納可能な回転式のドーナツ状のＭＤ用ディスクストッカーと、該ＭＤ用ディスクストッカー１９の中央部分に配置されたＭＤ用ディスクの記録再生を行うＭＤ記録再生ユニット２９、チューナ部４９を備えている点において、引用発明のディスク交換型記録再生装置ときわめて近接した技術分野に属するものであり、また、記録再生装置におけるタイマー動作自体は、第２引用例にもあるように（第１６段落、上記摘記部分（ｈ）参照）オーディオ機器、ビデオ機器において周知の事項にすぎないことからすると、引用発明のディスク交換型記録再生装置においても、時計回路を備え、記録動作をタイマー記録によっても実行するようにすることは当業者が容易に想到しうるものであり、その作用効果も当業者が予測しうるものにすぎない。
　
（２）相違点３について
　第２引用例について指摘した表１から表３を参照することで、または周知のオーディオ機器、ビデオ機器におけるタイマー動作から、それぞれ明かなように、タイマー動作において、開始時刻と終了時刻を指定することはごく普通に行われるものである。終了時刻になれば記録動作を終了することも当然の動作にすぎない。引用発明のディスク交換型記録再生装置において、記録動作の終了に際して記録再生手段に装着されたディスクをどのように取り扱うかは、装着されたままにするか、ディスク交換手段によりディスク格納手段に格納するかのいずれかを当業者が適宜選択可能な事項にすぎないものであるが、一例として、特開平１−３１９１６５号公報には、記録媒体のオートチェンジャ装置において、全てのテープ再生が終了したとき、テープをアンローディングした状態で動作が終了することが開示されており（第３図のフローを参照）、タイマー記録の場合であっても動作終了を同様に実行することは自然なことであるから、引用発明においても記録動作の終了時にディスクをディスク格納手段に戻す動作を選択することは当業者が容易に想到しうるものであり、その作用効果も当業者が予測しうるものにすぎない。
　
５．本件補正についての結び
　以上のとおりであるから、本願補正発明は、引用発明をはじめ各引用例に記載された発明及び周知事項に基づいて当業者が容易に発明をすることができたものであり、特許法第２９条第２項の規定により、特許出願の際独立して特許を受けることができないものであるから、本件補正は、特許法第１７条の２第５項で準用する同法第１２６条第５項に規定する要件を満たさないものであり、特許法第１５９条第１項で読み替えて準用する同法第５３条第１項の規定により却下すべきものである。
　
　
第３　本願発明について
１．本願発明
　平成１６年７月７日付けの手続補正は上記のとおり却下されたので、本願の請求項１乃至５に係る発明は、平成１６年３月１９日付け手続補正書により補正された明細書の特許請求の範囲の請求項１乃至５に記載されたとおりのものであるところ、請求項１に係る発明（以下、「本願発明」という）は、上記「第２　〔理由〕１．」に本件補正前の請求項１として掲げたとおりのものである。
　
２．引用例
　原査定の拒絶の理由で引用された引用例及びその記載事項は、前記「第２　〔理由〕２．」に記載したとおりである。
　
３．対比・判断
　本願発明は、上記「第２　〔理由〕」で検討した本願補正発明から、本件補正前の請求項４及び５に記載された事項を削除し、「タイマー記録」の動作についての限定を解除したものに相当する。
　
　そうすると、本願発明の構成要件を全て含み、更に他の要件を付加したものに相当する本願補正発明が前記「第２　〔理由〕４．」に記載したとおり、引用発明をはじめ各引用例に記載された発明及び周知事項に基づいて、当業者が容易に発明をすることができたものであるから、本願発明も、同様の理由により、引用発明をはじめ各引用例に記載された発明及び周知事項に基づいて当業者が容易に発明をすることができたものである。
　
４．むすび
　以上のとおり、本願の請求項１に係る発明は、特許法第２９条第２項の規定により特許を受けることができないものであるから、その余の請求項について論及するまでもなく、本願は拒絶すべきものである。
　よって、結論のとおり審決する。